(57)【要約】【課題】遊技客の利便性を向上させることを課題とする。【解決手段】計数機１０では、遊技客が所持する携帯端末２００に内蔵されたＩＣチップから携帯端末識別情報を取得する携帯端末認証部３４０をタッチパネル１１の側部に配置することで、会員カードを所持していなくとも会員カードの代わりに携帯端末２００を会員特定媒体として利用させることができ、会員サービス提供時には遊技客に携帯端末認証部３４０の位置を認識させやすくすることができるようにしている。【選択図】        図１
2011104411.tif 000002
【特許請求の範囲】
【請求項１】
計数するための遊技媒体を貯留する貯留部と、前記貯留部の上部に設けられる表示部を有する計数機であって、
遊技客が所持する会員用記録媒体を挿入する挿入口を前記表示部の近傍の位置に配置し、該遊技客が所持する携帯端末に内蔵されたＩＣチップから携帯端末識別情報を取得する情報取得装置を前記挿入口の側部の近傍位置に設けた
ことを特徴とする計数機。
【請求項２】
前記挿入口を前記表示部の下部の位置に配置し、前記情報取得装置を前記挿入口の外側の位置に併設したことを特徴とする請求項１に記載の計数機。
【請求項３】
前記情報取得装置が、前記表示部の斜め下方に配置されることを特徴とする請求項１又は２に記載の計数機。
【請求項４】
さらに所定個数の遊技媒体を投出する遊技媒体払出部を前記計数機の前面の片側よりに備え、
前記情報取得装置は、前記遊技媒体払出部と反対側の位置に配置される
ことを特徴とする請求項１、２又は３に記載の計数機。
【発明の詳細な説明】
【技術分野】
【０００１】
本発明は、計数するための遊技媒体を貯留する貯留部と、貯留部の上部に設けられる表示部との間に遊技媒体を投入するための空間を有する計数機に関する。
【背景技術】
【０００２】
従来、パチンコ遊技やパチスロ遊技を提供するパチンコ店等の遊技店では、該遊技店の会員を遊技客から募り、会員登録を希望した会員に対して会員カードを発行するとともに、この会員カードを利用した貯玉・貯メダルサービスやメールによる情報通知サービス等を行っている。
【０００３】
具体的には、遊技客が、住所、氏名及び電話番号等の個人情報を記入した会員申込用紙を遊技店の係員に渡して会員登録を要求すると、遊技店の係員は、この遊技客の個人情報を管理装置に登録するとともに、会員を特定するためのユニークな識別情報（会員ＩＤ）が記録された会員用記録媒体（会員カード）を会員に発行する。このようにして会員カードを取得した各会員は、特許文献１等に記載されるように、獲得したパチンコ玉やメダルを貯玉・貯メダルするとともに、この貯玉・貯メダルを後日再プレイしたり、景品に交換することができる。
【０００４】
このように、遊技店では、会員カードを通じて会員サービスを提供することにより会員登録した遊技客とその他の遊技客との差別化を図っている。
【先行技術文献】
【特許文献】
【０００５】
【特許文献１】特開２００３−２１０８１８号公報
【発明の概要】
【発明が解決しようとする課題】
【０００６】
しかしながら、会員カードは、遊技店内で利用される他の用途には利用されず、遊技客個人との結び付きが希薄であるため、遊技客による携帯率は芳しくなく、会員カードの利用が促進されていない。このため、会員が会員カードを所持していない場合（自宅等に置き忘れた場合）には、貯玉・再プレイを行うことができず、遊技客の利便性が損なわれるという問題があった。 
【０００７】
そこで、本発明は、上述した従来技術による課題（問題点）を解消するためになされたものであり、遊技客の利便性を向上させることができる計数機を提供することを目的とする。
【課題を解決するための手段】
【０００８】
上述した課題を解決し、目的を達成するために、本発明は、計数するための遊技媒体を貯留する貯留部と、前記貯留部の上部に設けられる表示部を有する計数機であって、遊技客が所持する会員用記録媒体を挿入する挿入口を前記表示部の近傍の位置に配置し、該遊技客が所持する携帯端末に内蔵されたＩＣチップから携帯端末識別情報を取得する情報取得装置を前記挿入口の側部の近傍位置に併設したことを特徴とする。
【０００９】
また、本発明は、前記挿入口を前記表示部の下部の位置に配置し、前記情報取得装置を前記挿入口の外側の位置に併設したことを特徴とする。
【００１０】
また、本発明は、前記情報取得装置が、前記表示部の斜め下方に配置されることを特徴とする。
【００１１】
また、本発明は、さらに所定個数の遊技媒体を投出する遊技媒体払出部を前記計数機の前面の片側よりに備え、前記情報取得装置は、前記遊技媒体払出部と反対側の位置に配置されることを特徴とする。
【発明の効果】
【００１２】
本発明によれば、遊技客が所持する会員用記録媒体を挿入する挿入口を表示部の近傍の位置に配置するとともに、該遊技客が所持する携帯端末に内蔵されたＩＣチップから携帯端末識別情報を取得する情報取得装置を挿入口の側部の近傍位置に併設するよう構成したので、会員カードを所持していなくとも会員カードの代わりに携帯端末を会員特定媒体として利用させることができ、会員サービス提供時には遊技客に情報読取装置の位置を認識させやすくすることができる結果、遊技客の利便性を向上させることが可能になるという効果を奏する。 
【図面の簡単な説明】
【００１３】
【図１】実施例１に係る計数機の外観を示した斜視図である。
【図２】実施例１に係る計数機の構成を示す機能ブロック図である。
【図３】実施例１に係る載置部の内部構成を示す機能ブロック図である。
【図４】図１に示した計数機における載置部の拡大図である。
【図５】実施例１に係る発光制御処理の手順を示すフローチャートである。
【図６】本発明に係る計数機の応用例を示す図である。
【図７】本発明に係る計数機の応用例を示す図である。
【図８】本発明に係る計数機の応用例を示す図である。
【図９】本発明に係る計数機の応用例を示す図である。
【発明を実施するための形態】
【００１４】
以下に添付図面を参照して、本発明に係る計数機の好適な実施例を詳細に説明する。なお、以下では、本発明をパチンコ遊技に適用する場合について説明することとする。 
【実施例１】
【００１５】
まず、本実施例に係る計数機１０の外観構成について詳細に説明する。図１は、実施例１に係る計数機１０の外観を示した斜視図である。同図に示すように、この計数機１０は、パチンコ玉を貯留するホッパー部１０５と、ホッパー部１０５の上部に設けられるタッチパネル１１との間にパチンコ玉を投入するための空間を有する計数機、いわゆる縦型の玉計数機である。 
【００１６】
ここで、本実施例に係る計数機１０は、遊技客が所持する携帯端末２００（携帯電話）に内蔵されたＩＣチップから携帯端末識別情報を取得する携帯端末認証部３４０をタッチパネル１１の側部に配置した点にその特徴がある。 
【００１７】
すなわち、かかる縦型の玉計数機である計数機１０では、遊技客に常時携帯される蓋然性が高い携帯端末２００を会員特定媒体として使用させるために、この携帯端末２００から携帯端末識別情報（本例では、ＩＣチップに製造段階でユニークに付与されるＩＤｍとする）を取得する携帯端末認証部３４０を設けることとしており、このＩＤｍの読取りに際して、遊技客が携帯端末２００を携帯端末認証部３４０に近接させやすいように、遊技客の目線位置に配置されているタッチパネル１１の側部に携帯端末認証部３４０を配置するようにしている。 
【００１８】
このため、計数機１０によれば、会員カードを所持していなくとも会員カードの代わりに携帯端末２００を会員特定媒体として利用させることができ、会員サービス提供時には遊技客に携帯端末認証部３４０の位置を認識させやすくすることができる結果、遊技客の利便性を向上させることが可能になる。 
【００１９】
また、計数機１０によれば、遊技客の目線の位置に携帯端末認証部３４０を配置したので、玉箱からホッパー部１０５に獲得玉を投入する従業員と携帯端末２００を近接させる操作を行う遊技客とが接触することを防止することもできる。 
【００２０】
なお、会員カードの代わりに携帯端末２００を会員特定媒体として利用させるためには、会員用のターミナルコントローラ（会員管理Ｔ／Ｃ）などの上位装置に携帯端末２００のＩＤｍ等の携帯端末識別情報を会員情報として登録しておく必要があり、かかるＩＤｍが当該計数機１０やその他の店内機器（例えば、遊技媒体貸出機であるカード処理ユニット、島端の再プレイ機、貯玉と景品の交換制御を行う景品管理装置など）に付設または内蔵された携帯端末認証部によって取得され、該取得されたＩＤｍに対応する貯玉残高の更新（加減算）が行われる。 
【００２１】
図１の説明に戻り、計数機１０の筐体上部の前側には、遊技客や従業員とのインタフェースが設けられており、計数レシートを発行するレシート発行口１０１と、会員カードを挿入するカード挿入口１０２と、計数後に返却した余り玉を取り出す玉取出口１０４と、表示入力部であるタッチパネル１１と、載置部３００とが付設されている。 
【００２２】
載置部３００は、携帯端末２００を載置させる部位である。すなわち、載置面１１０の裏側には、携帯端末認証部３４０が背面に隣接設置されており、この携帯端末認証部３４０の通信圏内に携帯端末２００を載置させるために、後述するＬＥＤ３１０（図３参照）への発光制御によって載置指定箇所である載置面１１０および携帯端末認証部３４０の装置状態を明示している。 
【００２３】
そして、筐体中央部の前側は、玉箱に格納された獲得玉を筐体下部の前側に付設されたホッパー部１０５に投入するためにスペースが設けられている。 
【００２４】
また、筐体下部の前側に付設されたホッパー部１０５には、ホッパー部１０５底部に設けられた獲得玉の玉取込口を遮蔽するシャッタ１０６と、従業員ＩＤを記憶する従業員カード（本例ではＩＣカードであるものとする）を近接させるための近接指定箇所を明示する部位であるかざし部１０７と、ホッパー部１０５全体を覆うためのフタ１０９と、未使用時のフタ１０９を保持しておくためのフタホルダー１０８とが設けられている。 
【００２５】
この計数機１０で獲得玉の計数が行われる際には、かざし部１０７の背面に隣接配置された従業員用リーダライタ１６ｂによって従業員カードから従業員ＩＤ読み取られ、その従業員ＩＤが登録従業員ＩＤと一致した場合に、シャッタ１０６が開放されて獲得玉の受入待機状態となり、玉箱に格納された獲得玉がホッパー部１０５に投入されると、獲得玉が玉取込口から内部に取り込まれ、後述する計数センサ１５を通じて内部で獲得玉が計数される。そして、内部での獲得玉の計数が終了すると、タッチパネル１１上に計数結果である獲得玉数が表示される。このとき、携帯会員に登録済みである携帯端末２００が載置部３００に載置されていれば、計数レシートを発行するレシート発行ボタンに併せて、計数貯玉を行う貯玉ボタンがタッチパネル１１に表示されるので、レシート発行ボタンが押下されると、レシート発行口１０１から計数レシートが発行され、また、貯玉ボタンが押下されると、計数値が貯玉残高に加算される。 
【００２６】
続いて、図１に示した計数機１０の内部構成について説明する。図２は、実施例１に係る計数機１０の構成を示す機能ブロック図である。同図に示すように、この計数機１０は、タッチパネル１１と、通信Ｉ／Ｆ部１２と、計時部１３と、シャッタ機構１４と、計数センサ１５と、カードリーダ１６ａと、従業員用リーダライタ５６ｂと、載置部３００と、印字部１７と、記憶部１８と、制御部１９とを有する。 
【００２７】
タッチパネル１１は、液晶パネルやディスプレイなどの表示デバイス上で操作入力を受け付けることができる表示可能かつ入力可能な従業員用デバイスである。具体的には、非携帯会員の携帯端末２００が載置部３００に載置されない限りは、通常通り計数に関する画面を表示し、たとえば計数待機中には、従業員認証を行うために従業員カードのかざし操作を促す画面を表示したり、計数中には、現時点で計数し終えた獲得玉数を表示したり、また、計数後には、計数結果とともに計数レシートの発行ボタンを表示して計数レシートの発行操作を受け付けたり、この時、さらに携帯会員の携帯端末２００が載置部３００に載置されていれば、計数貯玉を行う貯玉ボタンを表示して計数貯玉操作を受け付けたりする。 
【００２８】
通信Ｉ／Ｆ部１２は、当該計数機１０と他の装置（例えば、会員管理Ｔ／Ｃなどの他の装置）との間で各種通信を行うためのインタフェースである。また、計時部１３は、時刻を計時する処理部であり、具体的には、後述する発行制御部１９ｃからの時刻問合せに応答してその問合せ時点における日時を応答する。 
【００２９】
シャッタ機構１４は、ホッパー部１０５の玉取込口に開閉可能に設けられたシャッタ１０６の開閉駆動を行うシャッタ駆動モータ１４ａと、シャッタの開閉状態を検知する開閉検知部１４ｂとを有する。例えば、シャッタ機構１４は、シャッタ１０６を開放させる場合には、開閉検知部１４ｂによってシャッタ１０６が開状態であると検知されるまでシャッタ駆動モータ１４ａにシャッタ１０６を開駆動させ、計数終了後にシャッタ１０６を閉鎖する場合には、開閉検知部１４ｂによってシャッタ１０６が閉状態であると検知されるまでシャッタ駆動モータ１４ａにシャッタ１０６を閉駆動させる。 
【００３０】
計数センサ１５は、遊技客又は従業員によって投入された獲得玉を計数するセンサである。具体的には、玉取込口から導入した獲得玉の通過経路の近傍に設けられており、かかる通過経路に赤外線等の発光及びその反射光の受光を併せて行うことで獲得玉の通過を検知し、これらの通過数を計数制御部１９ｂにカウントアップさせる。 
【００３１】
カードリーダ１６ａは、各種カード（本例では、磁気カードとする）から記録情報を読み取る読取装置であり、例えば、会員カードに記録された会員ＩＤを読み取り、該読み取った会員ＩＤを制御部１９に出力する。携帯端末（識別情報）を会員情報として登録していない遊技客は、従来通り、会員カードに基づいて貯玉残高の更新（加減算）を行う。 
【００３２】
従業員用リーダライタ１６ｂは、ＩＣカードとの間で通信を行ってＩＣカード内の記録情報の読取および書込を行う装置であり、具体的には、従業員カードから従業員認証を行うための従業員ＩＤを取得するためのものである。 
【００３３】
印字部１７は、印刷データをレシートに印字処理する印字装置であり、発行制御部１９ｃによる発行制御に基づいて計数レシートを印字発行する。例えば、計数レシートには、遊技店の名称、発行日時、計数機番号、計数値（獲得玉数）を含む計数情報と紐付けられた計数ＩＤがバーコードとして印字される。なお、本実施例１では、計数情報が紐付けられた計数ＩＤをバーコード印字することとしたが、計数情報を表すデータ自体をバーコード印字するようにしてもかまわない。獲得玉数を貯玉しない遊技客は、計数結果を計数レシートで受け取る。 
【００３４】
ここで、図３及び図４を用いて載置部３００の具体的な構成を説明する。図３は、実施例１に係る載置部３００の内部構成を示す機能ブロック図である。図３に示すように、載置部３００は、ＬＥＤ３１０と、発光制御部３３０と、発光プレート３２０と、携帯端末認証部３４０とを有する。 
【００３５】
ＬＥＤ３１０は、導電することによって発光する半導体素子であり、後述する発光制御部３３０からの指示に基づき所定色（例えば、赤、青、緑の三色）の光を発光する。 
【００３６】
発光プレート３２０は、ＬＥＤ３１０から入射したＬＥＤ光を外面に放射させるプレートであり、具体的には、凹凸加工が施された発光プレートの裏面（載置面１１０の裏側）でＬＥＤ３１０から入射したＬＥＤ光を乱反射させ、プレート外面に均一的に放出させる。 
【００３７】
発光制御部３３０は、ＬＥＤ３１０の発光制御を行う処理部であり、携帯端末認証部３４０の装置状態（たとえば、携帯端末認証部３４０における動作状態や携帯端末２００との通信状態など）を検知する状態検知部３３５を内在する。 
【００３８】
例えば、携帯端末認証部３４０に異常がなく、携帯端末２００との通信を正常に行える場合（携帯端末２００の載置待機状態）には、携帯端末２００の載置が可能である旨を知らしめるべく、ＬＥＤ３１０を青点滅させ、携帯端末２００が載置部３００の載置面（発光プレート３２０の表面）１１０に載置された場合には、携帯端末２００と携帯端末認証部３４０との通信が開始されるので、これら両者が通信中である旨を報知すべく、ＬＥＤ３１０を緑点灯させ、その後に、携帯端末２００と携帯端末認証部３４０との通信が終了すると、これら両者の通信が終了した旨を報知すべく、ＬＥＤ３１０を緑点滅させ、載置部３００から携帯端末２００が離脱されると、携帯端末２００の載置待機状態に戻り、ＬＥＤ３１０を青点滅させる。 
【００３９】
携帯端末認証部３４０は、ＩＣカードとの間で通信を行ってＩＣカード内の記録情報の読取および書込を行う装置であり、非接触型ＩＣチップの通信方式Ａに対応したモジュールであるアンテナモジュールＡを具備する。すなわち、いわゆるおサイフケータイ（商標登録）である携帯端末２００に搭載された通信方式ＡのＩＣチップ２１０と通信を行って携帯端末２００のＩＤｍを取得する。 
【００４０】
このように、携帯端末２００を載置させる載置部３００と、ＬＥＤ３１０及び発光制御部３３０とを一体型に構成することで、携帯端末２００を載置させる箇所を遊技客に明示することができるようにしている。 
【００４１】
さらに、本実施例では、図４に示すように、載置部３００の載置面１１０を奥行き方向に進むほど鉛直位置が高くなるように傾けて配置するようにしている。このように載置面１１０に傾斜を設けるのは、載置面１１０が垂直面に近すぎれば、携帯端末２００を載置または離脱する際の操作が不安定になり、また、載置面１１０が水平面であれば、奥行き方向に多くのスペースが必要となるとともに、携帯端末２００を載置または離脱する際に大きな動作が必要となるからであり、携帯端末の載置または離脱を円滑に行うとともに、ＬＥＤ３１０の発光報知が認識しやすくなるように、たとえば載置面１１０を鉛直面から４５度傾斜させている。 
【００４２】
さらに、載置面１１０を傾斜させるとともに、載置面１１０と略垂直となる方向にストッパーを設けることにより、携帯端末２００の落下を防止するとともに、携帯端末認証部３４０のアンテナモジュールＡと携帯端末２００のＩＣチップ２１０との位置を適正な位置に固定載置させることが可能になる。 
【００４３】
さらに、本実施例では、図４に示すように、ＬＥＤ３１０によって照射される載置面（発光プレート３２０の表面）１１０の両側面及び天面を覆うように形成している。このように、載置面１１０の両側面及び天面を覆うのは、日光や遊技店内の照明等の外来光の影響なく、ＬＥＤ３１０の発光を視認することができるにするためである。 
【００４４】
図２の説明に戻り、記憶部１８は、制御部１９による各種処理に必要なデータおよびプログラムを記憶する不揮発性メモリ等の記憶デバイスであり、例えば、従業員認証時に従業員カードから読み取られた従業員ＩＤの比較対象として予め登録された登録従業員（計数業務を許可された従業員）の従業員ＩＤ１８ａと、計数レシートに印字する印字フォーマット１８ｂとを記憶する。 
【００４５】
制御部１９は、計数機１０を全体制御する制御部であり、表示制御部１９ａと、計数制御部１９ｂと、発行制御部１９ｃと、ＩＤｍ問合せ部１９ｄと、計数貯玉依頼部１９ｅとを有する。実際には、これらの機能部に対応するプログラムを図示しないＲＯＭや不揮発性メモリに記憶しておき、これらのプログラムをＣＰＵにロードして実行し、表示制御部１９ａ、計数制御部１９ｂ、発行制御部１９ｃ、ＩＤｍ問合せ部１９ｄ及び計数貯玉依頼部１９ｅにそれぞれ対応するプロセスを実行させることになる。 
【００４６】
表示制御部１９ａは、タッチパネル１１の表示制御を行う処理部である。例えば、計数待機中には、従業員認証を行うために従業員カードのかざし操作を促す画面を表示させ、計数中には、計数制御部１９ｂによって計数センサ１５からの通過信号がカウントアップされる度にタッチパネル１１に表示される獲得玉数の表示を更新していき、計数センサ１５からの通過信号が一定時間以上（例えば、３秒）について検出されなくなり計数が終了すると、計数レシートの発行ボタンをタッチパネル１１に表示させる。さらに、計数レシートの発行ボタンが押下される前に、携帯会員の携帯端末２００が載置部３００に載置されたならば、貯玉ボタンを併せてタッチパネル１１に表示させる。 
【００４７】
計数制御部１９ｂは、遊技客によって獲得されたパチンコ玉の計数制御を行う処理部である。具体的には、従業員用リーダライタ１６ｂによって従業員カードから読み取られた従業員ＩＤが記憶部１８に登録された従業員ＩＤ１８ａと一致するか否かを照合する従業員認証を行い、その結果、予め登録された従業員ＩＤ１８ａと一致した場合には、獲得玉の投入口に開閉可能に設けられたシャッタ１０６を開放するようにシャッタ機構１４に要請してシャッタ１０６を開放させ、その後に、ホッパー部１０５に獲得玉が投入されると、計数センサ１５から獲得玉の通過信号が出力されるので、一定時間（例えば、３秒）についてかかる通過信号が検出されなくなるまでカウントアップを継続することで獲得玉の計数を行う。 
【００４８】
発行制御部１９ｃは、計数レシートの発行制御を行う処理部である。例えば、計数レシートを発行する場合には、計数情報に紐付けられた計数ＩＤからバーコード情報を生成し、該生成したバーコード情報、計時部１３から取得した日時情報及び計数情報を印字部１７に出力し、記憶部１８によって記憶された各レシートの印字フォーマット１８ｂにしたがって計数レシートを印字部１７に印字発行させる。 
【００４９】
ＩＤｍ問合せ部１９ｄは、携帯端末認証部３４０によって携帯端末２００から読み取られたＩＤｍが会員管理Ｔ／Ｃに登録されているか否かを問い合わせる処理部である。かかるＩＤｍが既登録（携帯会員）であれば、計数貯玉の受付待機状態に移行することができるが、未登録であっても、新たに携帯会員への会員登録を行わせるようにしてもよい。 
【００５０】
計数貯玉依頼部１９ｅは、載置部３００に載置されている携帯端末２００のＩＤｍに対応する貯玉残高に計数制御部１９ｂによって計数された獲得玉の計数値の全部または一部を加算するように会員管理Ｔ／Ｃに依頼する処理部である。なお、本実施例では、獲得玉の計数値すべてについて加算依頼を行うこととするが、加算依頼を行う玉数の多寡は遊技客または遊技店によって計数値の範囲内で任意に設定することができる。 
【００５１】
次に、本実施例に係る計数機１０の発光制御部３３０の処理内容を説明する。図５は、実施例１に係る発光制御処理の手順を示すフローチャートである。この発光制御処理は、状態検知部３３５による携帯端末認証部３４０の状態検知に連動して行われる処理である。図５に示したフローチャートでは、携帯端末認証部３４０が正常に動作している場合を示しており、携帯端末認証部３４０の動作異常（例えば、故障や）が検知された場合には、発光制御部３３０によりＬＥＤ３１０が赤点灯される。 
【００５２】
図５に示すように、携帯端末２００が載置部３００に未載置である場合（ステップＳ５０１肯定）には、発光制御部３３０は、携帯端末２００の載置が可能である旨を知らしめるべく、ＬＥＤ３１０を青点滅させる（ステップＳ５０２）。 
【００５３】
そして、携帯端末２００が載置部３００の載置面（発光プレート３２０の表面）１１０に載置された場合（ステップＳ５０１否定）には、携帯端末２００と携帯端末認証部３４０との通信が開始されるので携帯端末２００と携帯端末認証部３４０との通信が終了まで（ステップＳ５０３肯定）、発光制御部３３０は、これら両者が通信中である旨を報知すべく、ＬＥＤ３１０を緑点灯させる（ステップＳ５０４）。 
【００５４】
その後、携帯端末２００と携帯端末認証部３４０との通信が終了すると（ステップＳ５０３否定）、発光制御部３３０は、これら両者の通信が終了した旨を報知すべく、ＬＥＤ３１０を緑点滅させ（ステップＳ５０５）、載置部３００から携帯端末２００が離脱されると（ステップＳ５０６肯定）、携帯端末２００の載置待機状態に戻り、計数機１０の電源がオフ状態になるまで上記したステップＳ５０１〜ステップＳ５０６までの処理を繰り返し行う。 
【００５５】
上述してきたように、本実施例では、遊技客が所持する携帯端末２００に内蔵されたＩＣチップ２１０から携帯端末識別情報を取得する携帯端末認証部３４０をタッチパネル１１の側部に配置するように構成したので、会員カードを所持していなくとも会員カードの代わりに携帯端末２００を会員特定媒体として利用させることができ、会員サービス提供時には遊技客に携帯端末認証部３４０の位置を認識させやすくすることができる結果、遊技客の利便性を向上させることが可能になる。 
【００５６】
また、本実施例では、携帯端末認証部３４０の装置状態を検知し、検知した装置状態に応じてＬＥＤ３１０による発光態様を変化させるように構成したので、携帯端末認証部３４０の動作状況を遊技客および従業員に把握させることができ、携帯端末の使用を円滑に行わせることが可能になる。 
【実施例２】
【００５７】
さて、これまで本発明の実施例について説明したが、本発明は上述した実施例以外にも、種々の異なる形態にて実施されてよいものである。そこで、以下では、本発明に含まれる他の実施例を説明する。 
【００５８】
例えば、上記した実施例１では、計数機１０と向かい合って左側に携帯端末認証部３４０を配置する例（図１及び図４）を説明したが、必ずしもかかる位置に配置する必要はなく、例えば、図６に示すように、同じ左側であっても正面端部に載置部３００を張り出し部材として形成した場合や、図７に示すように、載置部３００を右側に配置した場合であっても、実施例１と同様、目線位置に携帯端末を近接させる操作を行わせることができる。 
【００５９】
また、上記した実施例１では、縦型の玉計数機に本発明を適用した場合について説明したが、本発明は必ずしも縦型の玉計数機に限定されるものではない。例えば、卓上に設置される卓上型の玉計数機３０の場合には、島端に配設されるという計数機の性質上、横方向のスペースに制約が生じるが、かかる場合には、図８及び図９に示すように、内部に携帯端末を挿入させる空洞を設けるとともに、その空洞に携帯端末挿入口４００または４５０から携帯端末２００が挿入された場合にアンテナモジュールＡと携帯端末２００のＩＣチップ２１０とが適切な間隔になるように携帯端末認証部３４０を配置することもできる。 
【００６０】
なお、上記した実施例１では、発光制御部３３０に携帯端末認証部３４０の装置状態を報知させることとしたが、必ずしも携帯端末認証部３４０の装置状態だけを報知させる必要はなく、計数機１０全体の状態を報知させるようにしてもよい。 
【００６１】
また、上記した実施例１では、携帯端末２００として携帯電話機、ＰＨＳやＰＤＡなどのモバイル端末を例示したが、必ずしもモバイル端末でなくともＩＣチップを搭載していればよく、一般のＩＣカードなどであってもかまわない。 
【００６２】
また、上記した実施例１では、携帯端末２００を会員カードの代わりに使用させるために携帯端末２００内のＩＣチップ２１０に記憶されたＩＤｍを用いることとしたが、本発明はこれに限定されるものではなく、携帯端末２００のメモリ等の記憶部に会員ＩＤを特定可能な情報を事前に記録しておいて、当該情報を読み取るようにしてもよい。 
【００６３】
なお、上記した実施例１では、パチンコ玉を計数する玉計数機について説明したが、本発明はこれに限定されるものではなく、メダルを計数するメダル計数機にも本発明を同様に適用することができる。 
【００６４】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。 
【００６５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【産業上の利用可能性】
【００６６】
以上のように、本発明に係る計数機は、遊技客の利便性を向上させる場合に適している。
【符号の説明】
【００６７】
１０    計数機
１１    タッチパネル
１２    通信Ｉ／Ｆ部
１３    計時部
１４    シャッタ機構
１４ａ  シャッタ駆動モータ
１４ｂ  開閉検知部
１５    計数センサ
１６ａ  カードリーダ
１６ｂ  従業員用リーダライタ
１７    印字部
１８    記憶部
１９    制御部
１９ａ  表示制御部
１９ｂ  計数制御部
１９ｃ  発行制御部
１９ｄ  ＩＤｍ問合せ部
１９ｅ  計数貯玉依頼部
１０１    レシート発行口
１０２    カード挿入口
１０４    玉取出口
１０５    ホッパー部
１０６    シャッタ
１０７    かざし部
１０８    フタホルダ
１０９    フタ
１１０    載置面
２００    携帯端末
２１０    ＩＣチップ
３００    載置部
３１０    ＬＥＤ
３２０    発光プレート
３３０    発光制御部
３３５    状態検知部
３４０    携帯端末認証部 
【図１】
2011104411.tif 000003
【図２】
2011104411.tif 000004
【図３】
2011104411.tif 000005
【図４】
2011104411.tif 000006
【図５】
2011104411.tif 000007
【図６】
2011104411.tif 000008
【図７】
2011104411.tif 000009
【図８】
2011104411.tif 000010
【図９】
2011104411.tif 000011